(57)【要約】【課題】単一上りリンク接続における消費電力を削減することができる移動局装置、および基地局装置を提供すること。【解決手段】移動局装置は、第１の基地局装置および第２の基地局装置と通信を行う移動局装置において、前記第１の基地局装置および前記第２の基地局装置と同時に接続し、前記第１の基地局装置と所定の第１のサブフレームで通信を行い、前記第２の基地局装置とは前記第１のサブフレームとは異なる所定の第２のサブフレームで通信を行う第１の制御情報を用いる。【選択図】図７
2015154106.tif 000002
【特許請求の範囲】
【請求項１】
第１の基地局装置および第２の基地局装置と通信を行う移動局装置において、
前記第１の基地局装置および前記第２の基地局装置と同時に接続し、前記第１の基地局装置と所定の第１のサブフレームで通信を行い、前記第２の基地局装置とは前記第１のサブフレームとは異なる所定の第２のサブフレームで通信を行う第１の制御情報を用いること、
を特徴とする移動局装置。
【請求項２】
前記第１の制御情報と、前記第１の制御情報とは異なり前記第１の基地局装置および前記第２の基地局装置と同時に接続し、前記第１の基地局装置および前記第２の基地局装置と同時に通信を行う第２の制御情報との切り替えが可能か否かの問い合わせを前記第１の基地局装置に送信する切り替え問い合わせ部と、
前記第１の基地局装置から前記問い合わせの回答として切り替え可否回答を受領する受領部と、
前記受領部により受領された前記切り替え可否回答に基づいて、前記第１の制御情報と前記第２の制御情報との切り替え要求を前記第１の基地局装置に送信する要求部と、
を備えること
を特徴とする請求項１に記載の移動局装置。
【請求項３】
前記切り替え問い合わせ部は、前記移動局装置の電力量または前記移動局装置におけるデータの再送処理頻度に基づいて、前記第１の制御情報と前記第２の制御情報との切り替えが可能か否かの問い合わせを前記第１の基地局装置に送信すること
を特徴とする請求項２に記載の移動局装置。
【請求項４】
移動局装置と接続されて所定のサブフレームにおいて通信を行う第１の制御情報と、前記移動局装置と接続されて各サブフレームにおいて通信を行う第２の制御情報とを用いる基地局装置であって、
前記第１の制御情報と前記第２の制御情報との切り替えが可能か否かの問い合わせを受領する問い合わせ受領部と、
前記問い合わせ受領部が受領した前記問い合わせに基づいて、他の基地局装置に前記第１の制御情報と前記第２の制御情報との切り替えが可能か否かの問い合わせを行う確認部と、
前記確認部による問い合わせの応答として前記他の基地局装置から切り替え可否回答を受信する回答受信部と、
前記回答受信部により受信された切り替え可否回答に基づいて、移動局装置に切り替え可否回答を送信する回答送信部と、
を備えることを特徴とする基地局装置。
【請求項５】
移動局装置と接続されて所定のサブフレームにおいて通信を行う第１の制御情報と、前記移動局装置と接続されて各サブフレームにおいて通信を行う第２の制御情報とを用いる基地局装置であって、
前記第１の制御情報と第前記２の制御情報との切り替えの要求を受信する要求受信部と、
前記要求受信部が受信した前記要求に基づいて、前記第１の制御情報と前記第２の制御情報とを切り替える切り替え実行部と、
前記切り替え実行部による前記第１の制御情報と前記第２の制御情報との切り替えが完了すると、当該完了したことを他の基地局装置に通知する通知部と、
を備えること
を特徴とする基地局装置。
【発明の詳細な説明】
【技術分野】
【０００１】
本発明は、移動局装置、および基地局装置に関する。
【背景技術】
【０００２】
マクロセル（Ｍａｃｒｏ  ｃｅｌｌ）基地局装置およびスモールセル（Ｓｍａｌｌ  ｃｅｌｌ）基地局装置と移動局装置とのデュアル接続で、単一上りリンク機能に関する拡張性機能が提案されている。これは、移動局装置が時分割多重方式でマクロセル基地局装置およびスモールセル基地局装置にＨＡＲＱ（ｈｙｂｒｉｄ  ａｕｔｏｍａｔｉｃ  ｒｅｐｅａｔ  ｒｅｑｕｅｓｔ；ハイブリッド自動再送要求）フィードバックを伝達し、移動局装置が１セルのみ上りリンク接続を行い、セル間で情報転送を行うというものである。また、ＨＡＲＱフィードバックの単一上りリンク接続方式では、マクロセル基地局装置とスモールセル基地局装置とのデュアル下りリンク接続時に、上りリンクは時分割多重方式を用いた単一上りリンク接続とし、マクロセル基地局装置とスモールセル基地局装置とを交互に複数フレーム分のＨＡＲＱフィードバックを行うことで、マクロセル基地局装置およびスモールセル基地局装置のデータレートを高めていた（非特許文献１参照）。
【０００３】
また、例えば、特許文献１に記載の技術は、データバーストの送信に反復符号化法が使用されることを検出する段階と、前記反復符号化法を使用しない前記データバーストの前記送信を、少なくとも一部がハイブリッド自動再送要求（ＨＡＲＱ）信号プロトコルに準拠した、連続した複数のフレームの各々において通知する段階とを備えるものである。
【先行技術文献】
【特許文献】
【０００４】
【特許文献１】特表２０１２−５３３９２９号公報
【非特許文献】
【０００５】
【非特許文献１】ＡＳＵＳＴｅＫ、“Ｄｉｓｃｕｓｓｉｏｎ  ｏｎ  ｄｕａｌ  ｃｏｎｎｅｃｔｉｖｉｔｙ  ｆｏｒ  ｓｉｎｇｌｅ  ＵＬ  ＣＣ  ｃａｐａｂｌｅ  ＵＥｓ”、３ＧＰＰ  ＴＳＧ−ＲＡＮ  ＷＧ２  Ｍｅｅｔｉｎｇ  ＃８２  Ｒ２−１３１８４８
【発明の概要】
【発明が解決しようとする課題】
【０００６】
しかしながら、単一上りリンク接続では、マクロセル基地局装置へのＨＡＲＱフィードバックに対する応答であるＨＡＲＱ＿ＡＣＫ（ＨＡＲＱ  Ａｃｋｎｏｗｌｅｄｇｅｍｅｎｔ）とスモールセル基地局装置へのＨＡＲＱフィードバックに対する応答であるＨＡＲＱ＿ＡＣＫとを、一つの無線系で交互に行うため、基地局装置ごとの周波数への切り替えによって、消費電力が増大してしまうという問題があった。
【０００７】
本発明は上記の点に鑑みてなされたものであり、単一上りリンク接続における消費電力を削減することができる移動局装置、および基地局装置を提供することを課題とする。
【課題を解決するための手段】
【０００８】
本発明は上記の課題を解決するためになされたものであり、本発明の第一の態様は、第１の基地局装置および第２の基地局装置と通信を行う移動局装置において、前記第１の基地局装置および前記第２の基地局装置と同時に接続し、前記第１の基地局装置と所定の第１のサブフレームで通信を行い、前記第２の基地局装置とは前記第１のサブフレームとは異なる所定の第２のサブフレームで通信を行う第１の制御情報を用いること、を特徴とする移動局装置である。
【発明の効果】
【０００９】
本発明の移動局装置、および基地局装置によれば、単一上りリンク接続における消費電力を削減することができる。
【図面の簡単な説明】
【００１０】
【図１】本発明の第１の実施形態に係る通信システムの通信状況の一例を説明する説明図である。
【図２】本発明の第１の実施形態に係る通信システムの通信状況の他の一例を説明する説明図である。
【図３】本発明の第１の実施形態に係る通信システムの通信状況の他の一例を説明する説明図である。
【図４】本発明の第１の実施形態に係るマクロセル基地局装置の構成の一例を示す概略ブロック図である。
【図５】本発明の第１の実施形態に係るスモールセル基地局装置の構成の一例を示す概略ブロック図である。
【図６】本発明の第１の実施形態に係る移動局装置の構成の一例を示す概略ブロック図である。
【図７】本発明の第１の実施形態に係る移動局装置のデータ通信の開始時における処理の一例を示すフローチャートである。
【図８】本発明の第１の実施形態に係る移動局装置のデータ通信時における処理の一例を示すフローチャートである。
【図９】本発明の第１の実施形態に係る上りリンク切り替え処理の一例を示すシーケンス図である。
【図１０】本発明の第１の実施形態に係る移動局装置における処理の一例を示すフローチャートである。
【図１１】本発明の第１の実施形態に係るマクロセル基地局装置における処理の一例を示すフローチャートである。
【図１２】本発明の第１の実施形態に係るスモールセル基地局装置における処理の一例を示すフローチャートである。
【発明を実施するための形態】
【００１１】
（第１の実施形態）
以下、図面を参照しながら本発明の第１の実施形態について詳しく説明する。
図１は、本発明の第１の実施形態に係る通信システムＳの通信状況Ｓ１の一例を示す概略図である。
通信システムＳは、第１の基地局装置と、第２の基地局装置と、移動局装置３と、を含んで構成される。第１の基地局装置は、例えばマクロセル基地局装置１である。また、第２の基地局装置は、例えば、スモールセル基地局装置２である。
【００１２】
マクロセル基地局装置１は、セルＣＭを通信範囲とし、当該セルＣＭ内の移動局装置３と通信する。また、スモールセル基地局装置２は、セルＣＳを通信範囲とし、当該セルＣＳ内の移動局装置３と通信する。図示する例では、セルＣＳがセルＣＭの一部と重畳し、当該重畳する部分に移動局装置３が存在するため、移動局装置３は、マクロセル基地局装置１とスモールセル基地局装置２と通信を行う。
【００１３】
ここで、図中のＤＬは、下りリンク、すなわち、各基地局装置から移動局装置３に対する通信の向きを表し、ＵＬは、上りリンク、すなわち、移動局装置３から各基地局装置に対する通信の向きを表す。
この例では、移動局装置３は、下りリンクＤＬにおいて複数のリンク、例えば２つのリンク（以下、デュアルリンクともいう。）でマクロセル基地局装置１およびスモールセル基地局装置２に接続し、デュアル通信モードで当該２つの基地局装置と同時に通信を行う。また、移動局装置３は、上りリンクＵＬにおいても同様に、マクロセル基地局装置１およびスモールセル基地局装置２に複数のリンク、例えばデュアルリンクで接続し、複数通信モード（以下、デュアル通信モードともいう）で当該２つの基地局装置と通信を行う。
【００１４】
すなわち、通信システムＳの通信状況Ｓ１において、移動局装置３は、マクロセル基地局装置１およびスモールセル基地局装置２とデュアル通信モードにより下りリンクＤＬで同時に通信を行い、マクロセル基地局装置１およびスモールセル基地局装置２のそれぞれに対して同時にＨＡＲＱ（ｈｙｂｒｉｄ  ａｕｔｏｍａｔｉｃ  ｒｅｐｅａｔ  ｒｅｑｕｅｓｔ；ハイブリッド自動再送要求）フィードバックを用いたデュアル通信モードにより上りリンクＵＬで通信を行う。
このときに用いるＨＡＲＱフィードバックのデータフォーマット（上りリンク複数通信モードにおけるサブフレームの構成）の一例がテーブルＴ１である。
以下の説明において、このテーブルＴ１に示すＨＡＲＱフィードバックのフォーマットを、複数ＵＬフォーマットとも称する。
【００１５】
図示する例において、テーブルＴ１は、サブフレーム番号と、マクロセル基地局装置１の下りリンクＨＡＲＱプロセスを表すマクロセルのＨＡＲＱプロセス（ＤＬ）と、スモールセル基地局装置２の下りリンクのＨＡＲＱプロセスを表すスモールセルのＨＡＲＱプロセス（ＤＬ）と、移動局装置３からマクロセル基地局装置１への上りリンクＨＡＲＱ  ＡＣＫを表すマクロセルへのＨＡＲＱ  ＡＣＫ（ＵＬ）と、移動局装置３からスモールセル基地局装置２への上りリンクＨＡＲＱ  ＡＣＫを表すスモールセルＨＡＲＱ  ＡＣＫ（ＵＬ）と、の各項目行と、各項目行に対応するサブフレーム番号ｎ、ｎ＋１、ｎ＋２、・・・、ｎ＋１５の各項目列を有する行と列からなる２次元の表形式のテーブルである。
【００１６】
図示する例では、上りリンクＵＬがデュアル通信モード、すなわち、移動局装置３とマクロセル基地局装置１、移動局装置３とスモールセル基地局装置２がそれぞれ接続され、通信を行う通信モードで通信を行っている。つまり、マクロセルのＨＡＲＱプロセス（ＤＬ）またはスモールセルのＨＡＲＱプロセス（ＤＬ）に示された各サブフレーム番号に対応するＨＡＲＱ  ＡＣＫが、マクロセルへのＨＡＲＱ  ＡＣＫ（ＵＬ）またはスモールセルへのＨＡＲＱ  ＡＣＫ（ＵＬ）に示された各サブフレーム番号で送信されることを表している。例えば、サブフレーム番号ｎのマクロセルのＨＡＲＱプロセス（ＤＬ）０に該当するＨＡＲＱ  ＡＣＫは、サブフレーム番号ｎ＋４のマクロセルへのＨＡＲＱ  ＡＣＫ（ＵＬ）０で送信されることを表している。
【００１７】
図２は、本発明の第１の実施形態に係る通信システムＳの通信状況Ｓ２の一例を示す概略図である。
通信システムＳの構成は、図１と同様の構成であるので説明を省略する。図示する例では、移動局装置３は、下りリンクＤＬにおいて、図１と同様にマクロセル基地局装置１およびスモールセル基地局装置２にデュアルリンクで接続し、デュアル通信モードで当該２つの基地局装置と通信を行う。一方、移動局装置３は、上りリンクＵＬにおいて、時分割多重方式を採用し、マクロセル基地局装置１またはスモールセル基地局装置２のうちの一方と他方とを交互に単一リンク（以下、シングルリンクともいう）で接続し、マクロセル基地局装置１またはスモールセル基地局装置２の一方と単一通信モード（以下、シングル通信モードともいう）で通信を行う。
【００１８】
すなわち、移動局装置３は、マクロセル基地局装置１およびスモールセル基地局装置２とデュアル通信モードで下りリンクＤＬで同時に通信を行い、マクロセル基地局装置１およびスモールセル基地局装置２と時分割多重方式を用いて、それぞれの基地局装置と交互にＨＡＲＱフィードバックを用いたシングル通信モードで上りリンクＵＬで通信を行う。このときに用いるＨＡＲＱフィードバックのデータフォーマット（上りリンク単一通信モードにおけるサブフレームの構成）の一例がテーブルＴ２である。
以下の説明において、このテーブルＴ２に示すＨＡＲＱフィードバックのフォーマットを、単一ＵＬフォーマットとも称する。
【００１９】
図示する例において、テーブルＴ２は、サブフレーム番号と、マクロセル基地局装置１の下りリンクＨＡＲＱプロセスを表すマクロセルのＨＡＲＱプロセス（ＤＬ）と、スモールセル基地局装置２の下りリンクのＨＡＲＱプロセスを表すスモールセルのＨＡＲＱプロセス（ＤＬ）と、移動局装置３からマクロセル基地局装置１への上りリンクＨＡＲＱ  ＡＣＫを表すマクロセルへのＨＡＲＱ  ＡＣＫ（ＵＬ）と、移動局装置３からスモールセル基地局装置２への上りリンクＨＡＲＱ  ＡＣＫを表すスモールセルＨＡＲＱ  ＡＣＫ（ＵＬ）と、の各項目行と、各項目行に対応するサブフレーム番号ｎ、ｎ＋１、ｎ＋２、・・・、ｎ＋１５の各項目列を有する行と列からなる２次元の表形式のテーブルである。
【００２０】
図示する例では、上りリンクＵＬがシングル通信モード、すなわち、移動局装置３とマクロセル基地局装置１、または移動局装置３とスモールセル基地局装置２のいずれか一方が交互に時分割多重接続される通信モードで通信を行っている。つまり、マクロセルのＨＡＲＱプロセス（ＤＬ）に示された各サブフレーム番号に対応するＨＡＲＱ  ＡＣＫが、マクロセルへのＨＡＲＱ  ＡＣＫ（ＵＬ）に示された各サブフレーム番号でまとめて送信されることを表している。例えば、サブフレーム番号ｎ〜ｎ＋４のマクロセルのＨＡＲＱプロセス（ＤＬ）０、１、２、３に該当するＨＡＲＱ  ＡＣＫは、サブフレーム番号ｎ＋４のマクロセルへのＨＡＲＱ  ＡＣＫ（ＵＬ）０１２３で送信されることを表している。同様に、サブフレーム番号ｎ〜ｎ＋４のスモールセルのＨＡＲＱプロセス（ＤＬ）０、１、２、３に該当するＨＡＲＱ  ＡＣＫは、サブフレーム番号ｎ＋６のマクロセルへのＨＡＲＱ  ＡＣＫ（ＵＬ）０１２３で送信されることを表している。
【００２１】
すなわち、移動局装置３は、例えば、サブフレーム番号ｎ＋４のマクロセルへのＨＡＲＱ  ＡＣＫ（ＵＬ）において、マクロセル基地局装置１に対して、サブフレーム番号０、１、２、３のＨＡＲＱ  ＡＣＫを送信し、サブフレーム番号ｎ＋５のマクロセルへのＨＡＲＱ  ＡＣＫ（ＵＬ）とスモールセルへのＨＡＲＱ  ＡＣＫ（ＵＬ）で、周波数をマクロセル基地局装置１の周波数からスモールセル基地局装置２の周波数へと切り替えるＲＦ  ｒｅｔｕｎｅを行う。そして、移動局装置３は、サブフレーム番号ｎ＋６のマクロセルへのＨＡＲＱ  ＡＣＫ（ＵＬ）において、スモールセル基地局装置２に対して、サブフレーム番号０、１、２、３のＨＡＲＱ  ＡＣＫを送信し、サブフレーム番号ｎ＋７のマクロセルへのＨＡＲＱ  ＡＣＫ（ＵＬ）とスモールセルへのＨＡＲＱ  ＡＣＫ（ＵＬ）で、周波数をスモールセル基地局装置２の周波数からマクロセル基地局装置１の周波数へと切り替えるＲＦ  ｒｅｔｕｎｅを行う。このように、移動局装置３は、マクロセル基地局装置１の周波数とスモールセル基地局装置２の周波数とを切り替えながら、各基地局装置に対して、ＨＡＲＱ  ＡＣＫを送信する。
【００２２】
図３は、本発明の第１の実施形態に係る通信システムＳの通信状況Ｓ３の一例を示す概略図である。
通信システムＳの構成は、図１と同様の構成であるので説明を省略する。図示する例では、移動局装置３は、下りリンクＤＬにおいて、図１と同様にマクロセル基地局装置１およびスモールセル基地局装置２にデュアルリンクで接続し、デュアル通信モードで当該２つの基地局装置と通信を行う。また、移動局装置３は、上りリンクＵＬにおいても図１と同様に、マクロセル基地局装置１およびスモールセル基地局装置２にデュアルリンクで接続し、デュアル通信モードで当該２つの基地局装置と通信を行う。
【００２３】
すなわち、通信システムＳの通信状況Ｓ３において、移動局装置３は、マクロセル基地局装置１およびスモールセル基地局装置２とデュアル通信モードで下りリンクＤＬで同時に通信を行い、マクロセル基地局装置１およびスモールセル基地局装置２のそれぞれに対して同時にＨＡＲＱフィードバックを用いたデュアル通信モードで上りリンクＵＬで通信を行う。
このときに用いるＨＡＲＱフィードバックのデータフォーマット（上りリンク複数通信モードにおけるサブフレームの構成）の一例がテーブルＴ３である。
図示する例において、テーブルＴ３は、サブフレーム番号と、マクロセル基地局装置１の下りリンクＨＡＲＱプロセスを表すマクロセルのＨＡＲＱプロセス（ＤＬ）と、スモールセル基地局装置２の下りリンクのＨＡＲＱプロセスを表すスモールセルのＨＡＲＱプロセス（ＤＬ）と、移動局装置３からマクロセル基地局装置１への上りリンクＨＡＲＱ  ＡＣＫを表すマクロセルへのＨＡＲＱ  ＡＣＫ（ＵＬ）と、移動局装置３からスモールセル基地局装置２への上りリンクＨＡＲＱ  ＡＣＫを表すスモールセルＨＡＲＱ  ＡＣＫ（ＵＬ）と、の各項目行と、各項目行に対応するサブフレーム番号ｎ、ｎ＋１、ｎ＋２、・・・、ｎ＋１５の各項目列を有する行と列からなる２次元の表形式のテーブルである。
【００２４】
図示する例では、上りリンクＵＬがデュアル通信モード、すなわち、移動局装置３とマクロセル基地局装置１、および移動局装置３とスモールセル基地局装置２が接続されて通信を行っているが、上りリンクＵＬにおけるマクロセル基地局装置１およびスモールセル基地局装置２とに対するＨＡＲＱ  ＡＣＫの送信は、各基地局装置に対して交互に行う。
マクロセルのＨＡＲＱプロセス（ＤＬ）に示された各サブフレーム番号に対応するＨＡＲＱ  ＡＣＫが、マクロセルへのＨＡＲＱ  ＡＣＫ（ＵＬ）に示された各サブフレーム番号でまとめて送信され、サブフレーム番号ｎ〜ｎ＋４のマクロセルのＨＡＲＱプロセス（ＤＬ）０、１、２、３に該当するＨＡＲＱ  ＡＣＫは、サブフレーム番号ｎ＋４のマクロセルへのＨＡＲＱ  ＡＣＫ（ＵＬ）０１２３で送信される。同様に、サブフレーム番号ｎ〜ｎ＋４のスモールセルのＨＡＲＱプロセス（ＤＬ）０、１、２、３に該当するＨＡＲＱ  ＡＣＫは、サブフレーム番号ｎ＋６のマクロセルへのＨＡＲＱ  ＡＣＫ（ＵＬ）０１２３で送信される。
【００２５】
すなわち、移動局装置３は、例えば、サブフレーム番号ｎ＋４のマクロセルへのＨＡＲＱ  ＡＣＫ（ＵＬ）において、マクロセル基地局装置１に対して、サブフレーム番号０、１、２、３のＨＡＲＱ  ＡＣＫを送信し、サブフレーム番号ｎ＋５では、図２のテーブルＴ２に示すようなＲＦ  Ｒｅｔｕｎｅを行うことをせず、サブフレーム番号ｎ＋６のマクロセルへのＨＡＲＱ  ＡＣＫ（ＵＬ）において、スモールセル基地局装置２に対して、サブフレーム番号０、１、２、３のＨＡＲＱ  ＡＣＫを送信する。このように、移動局装置３は、マクロセル基地局装置１とスモールセル基地局装置２とのそれぞれと接続されているときに、それぞれの周波数に切り替えることなく、通信相手とする基地局装置のみを切り替える。
これにより、上りリンクＵＬがデュアル通信モードであっても、ＲＦ  Ｒｅｔｕｎｅなどの周波数を切り替えることが不要であるため、消費電力を低減させることができる。
【００２６】
つまり、通信システムＳの通信状況Ｓ３において、移動局装置３は、マクロセル基地局装置１およびスモールセル基地局装置２とデュアル通信モードで下りリンクＤＬで同時に通信を行い、マクロセル基地局装置１およびスモールセル基地局装置２のそれぞれと接毒された状態で、通信相手となる基地局装置を切り替えながら、各基地局装置に対してＨＡＲＱフィードバックのデータフォーマットとして、テーブルＴ３に示す単一ＵＬフォーマットを用いたデュアル通信モードで上りリンクＵＬで通信を行う。
【００２７】
以上のことから、図１から図３によれば、移動局装置３は、上りリンクＵＬの通信モードがデュアル通信モードかシングル通信モードかによって、用いるＨＡＲＱフィードバックのデータフォーマットが異なる。具体的には、シングル通信モードである場合、移動局装置３は、単一ＵＬフォーマットのＨＡＲＱフィードバックのデータフォーマットを用いる。一方、デュアル通信モードである場合、移動局装置３は、複数ＵＬフォーマットまたは単一ＵＬフォーマットのうちのいずれかを選択し、選択した複数ＵＬフォーマットまたは単一ＵＬフォーマットの一方でＨＡＲＱフィードバックのデータフォーマットを用い、移動局装置３の電池状態や移動局装置３とセル（マクロセル基地局装置１やスモールセル基地局装置２）までの距離、ＨＡＲＱの再送頻度などの通信状態によって、用いるＨＡＲＱフィードバックのデータフォーマットを切り替える。
【００２８】
以下の説明において、デュアル通信モードで通信が可能な移動局装置３を想定し、移動局装置３は、図１に示したような上りリンクＵＬがデュアル通信モード、かつ複数ＵＬフォーマットであるＨＡＲＱフィードバックのデータフォーマットを用いて通信を行う場合と、図３に示したような上りリンクＵＬがデュアル通信モード、かつ単一ＵＬフォーマットであるＨＡＲＱフィードバックのデータフォーマットを用いて通信を行う場合との２つを切り替える場合を説明する。なお、以下の説明においては、上りリンクＵＬがデュアル通信モード、かつ複数ＵＬフォーマットであるＨＡＲＱフィードバックのデータフォーマットを用いて通信を行う場合を、「デュアルＵＬ」と称し、上りリンクＵＬがデュアル通信モード、かつ単一ＵＬフォーマットであるＨＡＲＱフィードバックのデータフォーマットを用いて通信を行う場合を、「単一ＵＬフォーマットデュアルＵＬ」と称するものとする。
【００２９】
図４は、本発明の第１の実施形態に係るマクロセル基地局装置１の構成の一例を示す概略ブロック図である。
マクロセル基地局装置１は、通信部１０１と、問い合わせ受領部１０２と、確認部１０３と、ネットワーク通信部１０４と、回答受信部１０５と、回答送信部１０６と、要求受信部１０７と、要求送信部１０８と、応答受信部１０９と、応答送信部１１０と、切り替え実行部１１１と、を含んで構成される。
【００３０】
通信部１０１は、移動局装置３とネットワークＮ１を介して通信を行う。通信部１０１は、データの符号化／復号化、変調／復調、ＡＤ（Ａｎａｌｏｇ  ｔｏ  Ｄｉｇｉｔａｌ）／ＤＡ（Ｄｉｇｉｔａｌ  ｔｏ  Ａｎａｌｏｇ）変換、周波数変換、無線波によるデータ信号の送受信などの通信処理を行う。
【００３１】
問い合わせ受領部１０２は、通信部１０１を介して移動局装置３から上りリンクＵＬにおける上りリンクＵＬの制御情報を切り替え可能か否かの問合せを受領する。例えば、問い合わせ受領部１０２は、通信部１０１を介して移動局装置３からデュアルＵＬから単一ＵＬフォーマットデュアルＵＬ、単一ＵＬフォーマットデュアルＵＬからデュアルＵＬへの切り替えが可能か否かの問合せを受領する。つまり、問合せ受領部１０２は、ＨＡＲＱフィードバックのデータフォーマットを複数ＵＬフォーマットから単一ＵＬフォーマット、単一ＵＬフォーマットから複数ＵＬフォーマットへの切り替えが可能か否かの問い合わせを受領する。問い合わせ受領部１０２は、受領した問い合わせを確認部１０３に出力する。
【００３２】
確認部１０３は、問い合わせ受領部１０２から問い合わせが入力されると、自装置の上りリンクＵＬの制御情報の切り替えが可能か否かを判定する。具体的には、確認部１０３は、問い合わせ受領部１０２から問い合わせが入力されると、自装置のＨＡＲＱフィードバックのデータフォーマットの切り替えが可能か否かを判定する。確認部１０３は、自装置のＨＡＲＱフィードバックのデータフォーマットの切り替えが可能である場合、問い合わせ受領部１０２から入力された問い合わせを、ネットワーク通信部１０４を介してスモールセル基地局装置２に送信し、スモールセル基地局装置２にデュアルＵＬから単一ＵＬフォーマットデュアルＵＬ、または単一ＵＬフォーマットデュアルＵＬからデュアルＵＬへの切り替えが可能か否かを確認する。一方、確認部１０３は、自装置のＨＡＲＱフィードバックのデータフォーマットの切り替えが不可能である場合、自装置のＨＡＲＱフィードバックのデータフォーマットの切り替えが不可能であることを表すＨＡＲＱフィードバックのデータフォーマットの切り替え不可能通知を、切り替え可否回答として生成し、生成した切り替え可否回答を、通信部１０１およびネットワークＮ１を介して移動局装置３に送信する。
【００３３】
ネットワーク通信部１０４は、ネットワークＮ１に接続され、当該ネットワークＮ１を介してスモールセル基地局装置２と通信を行う。
回答受信部１０５は、確認部１０３による問い合わせの応答として、ネットワークＮ１およびネットワーク通信部１０４を介して、スモールセル基地局装置２から上りリンクＵＬの制御情報の切り替えが可能か否かの回答を受信する。具体的には、回答受信部１０５は、確認部１０３による問い合わせの応答として、ネットワークＮ１およびネットワーク通信部１０４を介して、スモールセル基地局装置２から、デュアルＵＬから単一ＵＬフォーマットデュアルＵＬ、単一ＵＬフォーマットデュアルＵＬからデュアルＵＬへのＨＡＲＱフィードバックのデータフォーマットの切り替えが可能か否かの回答を受信する。回答受信部１０５は、受信した回答を回答送信部１０６に出力する。
【００３４】
回答送信部１０６は、回答受信部１０５から入力された回答を、通信部１０１およびネットワークＮ１を介して移動局装置３に送信する。
要求受信部１０７は、回答送信部１０６が送信した回答の応答として、ネットワークＮ１および通信部１０１を介して、移動局装置３から上りリンクＵＬの制御情報の切り替え要求を受信する。具体的には、要求受信部１０７は、回答送信部１０６が送信した回答の応答として、ネットワークＮ１および通信部１０１を介して、移動局装置３からＨＡＲＱフィードバックのデータフォーマットの切り替え要求を受信する。要求受信部１０７は、受信したＨＡＲＱフィードバックのデータフォーマットの切り替え要求を要求送信部１０８に出力する。
【００３５】
要求送信部１０８は、要求受信部１０７から入力された上りリンクＵＬの制御情報の切り替え要求を、ネットワーク通信部１０４およびネットワークＮ１を介してスモールセル基地局装置２に送信する。具体的には、要求受信部１０７から入力されたＨＡＲＱフィードバックのデータフォーマットの切り替え要求を、ネットワーク通信部１０４およびネットワークＮ１を介してスモールセル基地局装置２に送信する。
【００３６】
応答受信部１０９は、要求送信部１０８が送信した上りリンクＵＬの制御情報の切り替え要求に対する応答として、スモールセル基地局装置２が上りリンクＵＬの制御情報の切り替えを実行し、当該上りリンクＵＬの制御情報の切り替えが完了したことを表す完了応答を、ネットワークＮ１およびネットワーク通信部１０４を介して受信する。具体的には、応答受信部１０９は、要求送信部１０８が送信したＨＡＲＱフィードバックのデータフォーマットの切り替え要求に対する応答として、スモールセル基地局装置２がＨＡＲＱフィードバックのデータフォーマットの切り替えを実行し、当該ＨＡＲＱフィードバックのデータフォーマットの切り替えが完了したことを表す完了応答を、ネットワークＮ１およびネットワーク通信部１０４を介して受信する。応答受信部１０９は、受信した完了応答を切り替え実行部１１１に出力する。
【００３７】
切り替え実行部１１１は、応答受信部１０９から完了応答が入力されると、自装置の上りリンクＵＬの制御情報の切り替えを実行する。そして、切り替え実行部１１１は、自装置の上りリンクＵＬの制御情報の切り替えおよびスモールセル基地局装置２の上りリンクＵＬの制御情報の切り替えが完了したことを表す完了応答を、応答送信部１１０に出力する。具体的には、切り替え実行部１１１は、応答受信部１０９から完了応答が入力されると、自装置の上りリンクＵＬの制御情報の切り替えを実行する。そして、切り替え実行部１１１は、自装置の上りリンクＵＬの制御情報の切り替えおよびスモールセル基地局装置２の上りリンクＵＬの制御情報の切り替えが完了したことを表す完了応答を、応答送信部１１０に出力する。
【００３８】
具体的には、切り替え実行部１１１は、応答受信部１０９から完了応答が入力されると、自装置のＨＡＲＱフィードバックのデータフォーマットの切り替えを実行する。そして、切り替え実行部１１１は、自装置のＨＡＲＱフィードバックのデータフォーマットの切り替えおよびスモールセル基地局装置２のＨＡＲＱフィードバックのデータフォーマットの切り替えが完了したことを表す完了応答を、応答送信部１１０に出力する。具体的には、切り替え実行部１１１は、応答受信部１０９から完了応答が入力されると、自装置のＨＡＲＱフィードバックのデータフォーマットの切り替えを実行する。そして、切り替え実行部１１１は、自装置のＨＡＲＱフィードバックのデータフォーマットの切り替えおよびスモールセル基地局装置２のＨＡＲＱフィードバックのデータフォーマットの切り替えが完了したことを表す完了応答を、応答送信部１１０に出力する。
【００３９】
応答送信部１１０は、切り替え実行部１１１から入力された完了応答を、通信部１０１およびネットワークＮ１を介して移動局装置３に送信する。
【００４０】
図５は、本発明の第１の実施形態に係るスモールセル基地局装置２の構成の一例を示す概略ブロック図である。
スモールセル基地局装置２は、ネットワーク通信部２０１と、問い合わせ受領部２０２と、回答送信部２０３と、要求受信部２０４と、切り替え実行部２０５と、通知部２０６と、を含んで構成される。スモールセル基地局装置２は、その他に移動局装置３と通信を行う通信部などを備えるが、図示および説明は省略する。
ネットワーク通信部２０１は、ネットワークＮ１に接続され、当該ネットワークＮ１を介してマクロセル基地局装置１と通信を行う。
問い合わせ受領部２０２は、ネットワーク通信部２０１を介してマクロセル基地局装置１からデュアルＵＬから単一ＵＬフォーマットデュアルＵＬ、単一ＵＬフォーマットデュアルＵＬからデュアルＵＬへのＨＡＲＱフィードバックのデータフォーマット（上りリンクＵＬの制御情報）の切り替えが可能か否かの問い合わせを受領する。問い合わせ受領部２０２は、受領した問い合わせを回答送信部２０３に出力する。
【００４１】
回答送信部２０３は、問い合わせ受領部２０２から問い合わせが入力されると、デュアルＵＬから単一ＵＬフォーマットデュアルＵＬ、単一ＵＬフォーマットデュアルＵＬからデュアルＵＬへのＨＡＲＱフィードバックのデータフォーマットの切り替えが可能か否かを判定し、切り換えが可能である場合には変更可能通知を生成し、切り換えが不可能である場合には変更不可能通知を生成する。回答送信部２０３は、生成した変更可能通知または変更不可能通知を、問い合わせ受領部２０２が受領した問い合わせに対する回答としてネットワーク通信部２０１およびネットワークＮ１を介してマクロセル基地局装置１に送信する。
【００４２】
要求受信部２０４は、ネットワークＮ１およびネットワーク通信部２０１を介してマクロセル基地局装置１から上りリンクＵＬのＨＡＲＱフィードバックのデータフォーマットの切り替え要求を受信する。要求受信部２０４は、受信した切り替え要求を切り替え実行部２０５に出力する。
切り替え実行部２０５は、要求受信部２０４からＨＡＲＱフィードバックのデータフォーマットの切り替え要求が入力されると、当該切り替え要求に含まれるＨＡＲＱフィードバックのデータフォーマットの種別を参照して、ＨＡＲＱフィードバックのデータフォーマットの切り替えを実行する。切り替え実行部２０５は、ＨＡＲＱフィードバックのデータフォーマットの切り替えを実行すると、切り替え完了通知を通知部２０６に出力する。
通知部２０６は、切り替え実行部２０５から切り替え完了通知が入力されると、ＨＡＲＱフィードバックのデータフォーマットの切り替えが完了したことを表す完了応答を生成する。通知部２０６は、生成した完了応答を、ネットワーク通信部２０１およびネットワークＮ１を介してマクロセル基地局装置１に送信する。
【００４３】
図６は、本発明の第１の実施形態に係る移動局装置３の構成の一例を示す概略ブロック図である。
移動局装置３は、受信アンテナ３０１−１、・・・、３０１−Ｎと、第１受信部３０２−１、・・・、第Ｎ受信部３０２−Ｎと、制御部３０３と、第１送信部３０８−１、・・・、第Ｎ送信部３０８−Ｎと、送信アンテナ３０９−１、・・・、３０９−Ｎと、を含んで構成される。制御部３０３は、ＨＡＲＱ処理部３０３１を含んで構成される。ＨＡＲＱ処理部３０３１は、単一ＨＡＲＱフィードバック処理部３０４と、複数ＨＡＲＱフィードバック処理部３０５と、再送頻度判定部３０６と、切り替えトリガ判定部３０７と、ユーザ設定記憶部３１０と、電池状態検出部３１１と、電池状態判定部３１２と、閾値記憶部３１３と、を含んで構成される。単一ＨＡＲＱフィードバック処理部３０４は、切り替え問い合わせ部３０４１と、受領部３０４２と、要求部３０４３と、を含んで構成される。また、複数ＨＡＲＱフィードバック処理部３０５は、切り替え問い合わせ部３０５１と、受領部３０５２と、要求部３０５３と、を含んで構成される。
なお、以下の説明において、受信アンテナ３０１−１、・・・、３０１−Ｎを受信アンテナ３０１と称し、第１受信部３０２−１、・・・、第Ｎ受信部３０２−Ｎを受信部３０２と称し、第１送信部３０８−１、・・・、第Ｎ送信部３０８−Ｎを送信部３０８と称し、送信アンテナ３０９−１、・・・、３０９−Ｎを送信アンテナ３０９と称する。
【００４４】
閾値記憶部３１３は、後述する電池に関する閾値、再送頻度に関する閾値など、各種閾値を記憶している。
ユーザ設定記憶部３１０は、ユーザにより設定されたデータレートを優先するか否か、または電池残量を優先するか否かのユーザ設定を記憶している。
受信部３０２は、ネットワークＮ１、受信アンテナ３０１を介してマクロセル基地局装置１、およびスモールセル基地局装置２と通信を行う。受信部３０２は、データの符号化／復号化、変調／復調、ＡＤ／ＤＡ変換、周波数変換、無線波によるデータ信号の送受信などの通信処理を行う。そして、受信部３０２は、通信処理した信号を制御部３０３に出力する。
【００４５】
単一ＨＡＲＱフィードバック処理部３０４は、単一ＵＬフォーマットデュアルＵＬにおける誤り検出、再送処理、ＨＡＲＱフィードバックなどの各種処理を行う。また、単一ＨＡＲＱフィードバック処理部３０４は、ＨＡＲＱフィードバックのデータフォーマットの切り替えに関する処理を実行する。ＨＡＲＱフィードバックのデータフォーマットの切り替えに関する処理を以下で詳述する。
切り替え問い合わせ部３０４１は、デュアルＵＬでの通信から単一ＵＬフォーマットデュアルＵＬでの通信に切り替える場合、デュアルＵＬから単一ＵＬフォーマットデュアルＵＬへの切り替えが可能か否かの問い合わせを送信部３０８、送信アンテナ３０９、およびネットワークＮ１を介してマクロセル基地局装置１に送信する。
【００４６】
受領部３０４２は、切り替え問い合わせ部３０４１が送信した問い合わせに対する回答として、デュアルＵＬから単一ＵＬフォーマットデュアルＵＬへの切り替え可否の回答をネットワークＮ１、受信アンテナ３０１、および受信部３０２を介して受領する。
要求部３０４３は、受領部３０４２が受領したＨＡＲＱフィードバックのデータフォーマットの切り替え可否の回答が切り替え可能であることを表す場合、単一ＵＬフォーマットデュアルＵＬへの切り替えを指示するＨＡＲＱフィードバックのデータフォーマットの切り替え要求を、送信部３０８、送信アンテナ３０９、およびネットワークＮ１を介してマクロセル基地局装置１に送信する。そして、要求部３０４３は、送信したＨＡＲＱフィードバックのデータフォーマットの切り替え要求に対する応答として、ＨＡＲＱフィードバックのデータフォーマットの切り替え完了応答を、ネットワークＮ１、受信アンテナ３０１、および受信部３０２を介して受領する。
【００４７】
複数ＨＡＲＱフィードバック処理部３０５は、デュアルＵＬにおける誤り検出、再送処理、ＨＡＲＱフィードバックなどの各種処理を行う。また、複数ＨＡＲＱフィードバック処理部３０５は、ＨＡＲＱフィードバックのデータフォーマットの切り替えに関する処理を実行する。ＨＡＲＱフィードバックのデータフォーマットの切り替えに関する処理を以下で詳述する。
切り替え問い合わせ部３０５１は、単一ＵＬフォーマットデュアルＵＬでの通信から単一ＵＬフォーマットデュアルＵＬでの通信に切り替える場合、単一ＵＬフォーマットデュアルＵＬからデュアルＵＬへの切り替えが可能か否かの問い合わせを送信部３０８、送信アンテナ３０９、およびネットワークＮ１を介してマクロセル基地局装置１に送信する。
【００４８】
受領部３０５２は、切り替え問い合わせ部３０５１が送信した問い合わせに対する回答として、単一ＵＬフォーマットデュアルＵＬからデュアルＵＬへの切り替え可否の回答をネットワークＮ１、受信アンテナ３０１、および受信部３０２を介して受領する。
要求部３０５３は、受領部３０４２が受領したＨＡＲＱフィードバックのデータフォーマットの切り替え可否の回答が切り替え可能であることを表す場合、デュアルＵＬへの切り替えを指示するＨＡＲＱフィードバックのデータフォーマットの切り替え要求を、送信部３０８、送信アンテナ３０９、およびネットワークＮ１を介してマクロセル基地局装置１に送信する。そして、要求部３０４３は、送信したＨＡＲＱフィードバックのデータフォーマットの切り替え要求に対する応答として、ＨＡＲＱフィードバックのデータフォーマットの切り替え完了応答を、ネットワークＮ１、受信アンテナ３０１、および受信部３０２を介して受領する。
【００４９】
再送頻度判定部３０６は、単一ＵＬフォーマットデュアルＵＬ、デュアルＵＬの各ＨＡＲＱフィードバックのデータフォーマットにおける再送処理頻度を計測する。また、再送頻度判定部３０６は、閾値記憶部３１３から再送頻度に関する閾値を読み出す。単一ＵＬフォーマットデュアルＵＬで通信を行っている場合には、再送頻度判定部３０６は、計測した再送頻度が閾値以上か否かを判定し、再送頻度が閾値以上である場合、デュアルＵＬに切り替えると判定する。また、デュアルＵＬで通信を行っている場合には、再送頻度判定部３０６は、計測した再送頻度が閾値以下か否かを判定し、再送頻度が閾値以下である場合、単一ＵＬフォーマットデュアルＵＬに切り替えるように判定する。
【００５０】
電池状態検出部３１１は、移動局装置３が備える電池の電力量を検出する。
電池状態判定部３１２は、検出された電池の電力量と電池に関する閾値とを比較して、電池残量を算出する。例えば、閾値記憶部３１３が記憶する電池に関する閾値は、段階的な閾値、例えば１０段階の閾値であり、電池状態判定部３１２は、電池の電力量が最上位の閾値以上である場合、電池残量が１００％とし、１段目の閾値以上、かつ最上位の閾値未満である場合、電池残量が９０％として判定する。
切り替えトリガ判定部３０７は、電池状態判定部３１２、再送頻度判定部３０６の判定結果、およびユーザ設定記憶部３１０が記憶するユーザ設定に基づいて、デュアルＵＬから単一ＵＬフォーマットデュアルＵＬ、単一ＵＬフォーマットデュアルＵＬからデュアルＵＬ、のようにＨＡＲＱフィードバックのデータフォーマットを切り替えるか否かを判定し、判定結果に応じて単一ＨＡＲＱフィードバック処理部３０４または複数ＨＡＲＱフィードバック処理部３０５にＨＡＲＱフィードバックのデータフォーマットの切り替えに関する処理を実行させる。
【００５１】
図７は、本発明の第１の実施形態に係る移動局装置３のデータ通信の開始時における処理の一例を示すフローチャートである。
ステップＳＴ１０１において、切り替えトリガ判定部３０７は、ユーザ設定記憶部３１０が記憶するユーザ設定が記憶されているか否かを判定する。ユーザ設定が記憶されている場合、ステップＳＴ１０２に進む。一方、ユーザ設定が記憶されていない場合、ステップＳＴ１０３に進む。
ステップＳＴ１０２において、切り替えトリガ判定部３０７は、ユーザ設定記憶部３１０が記憶するユーザ設定がデータレートを優先するユーザ設定である場合、ＳＴ１０５に進む。一方、ユーザ設定がデータレートを優先するユーザ設定でない場合、ステップＳＴ１０６に進む。
【００５２】
ステップＳＴ１０３において、切り替えトリガ判定部３０７は、電池状態が良好、すなわち、電池残量が所定の閾値以上（例えば、５０％以上）であるか否かを判定する。電池残量が所定の閾値以上である場合、ステップＳＴ１０５に進む。一方、電池残量が所定の閾値未満である場合、ステップＳＴ１０４に進む。
ステップＳＴ１０４において、切り替えトリガ判定部３０７は、送信電力が小さい、すなわち、移動局装置３が信号を送信するときの送信電力が所定の値以下か否かを判定する。送信電力が所定の値以下である場合、ステップＳＴ１０５に進む。一方、送信電力が所定の値以下でない場合、ステップＳＴ１０６に進む。
ステップＳＴ１０５において、切り替えトリガ判定部３０７は、上りリンクデュアルＵＬを選択し、通信を開始する。そして、図７に係る移動局装置３のデータ通信の開始時における処理を終了する。
ステップＳＴ１０６において、切り替えトリガ判定部３０７は、上りリンク単一ＵＬフォーマットデュアルＵＬを選択し、通信を開始する。そして、図７に係る移動局装置３のデータ通信の開始時における処理を終了する。
【００５３】
図８は、本発明の第１の実施形態に係る移動局装置３のデータ通信時における処理の一例を示すフローチャートである。
ステップＳＴ２０１において、切り替えトリガ判定部３０７は、ＨＡＲＱの再送頻度が直前のＨＡＲＱの再送頻度から変化したか否かを判定する。ＨＡＲＱの再送頻度が直前のＨＡＲＱの再送頻度から変化した場合、ステップＳＴ２０２に進む。一方、ＨＡＲＱの再送頻度が直前のＨＡＲＱの再送頻度から変化していない場合、すなわち、直前のＨＡＲＱの再送頻度とＨＡＲＱの再送頻度が略同じ場合、ステップＳＴ２０１を繰り返す。
【００５４】
ステップＳＴ２０２において、切り替えトリガ判定部３０７は、ユーザ設定記憶部３１０がユーザ設定を記憶しているか否かを判定する。ユーザ設定が記憶されている場合、ステップＳＴ２０１に戻る。一方、ユーザ設定が記憶されていない場合、ステップＳＴ２０３に進む。
ステップＳＴ２０３において、切り替えトリガ判定部３０７は、ＨＡＲＱの再送頻度が直前のＨＡＲＱの再送頻度より減ったか否かを判定する。ＨＡＲＱの再送頻度が直前のＨＡＲＱの再送頻度より減った場合、ステップＳＴ２０４に進む。一方、ＨＡＲＱの再送頻度が直前のＨＡＲＱの再送頻度より減っていない場合、ステップＳＴ２０５に進む。
【００５５】
ステップＳＴ２０４において、切り替えトリガ判定部３０７は、現在のＨＡＲＱフィードバックのデータフォーマットデュアルＵＬであるか否かを判定する。現在のＨＡＲＱフィードバックのデータフォーマットがデュアルＵＬである場合、ステップＳＴ２０１に戻る。一方、現在のＨＡＲＱフィードバックのデータフォーマットがデュアルＵＬでない場合、ステップＳＴ２０７に進む。
ステップＳＴ２０５において、切り替えトリガ判定部３０７は、現在のＨＡＲＱフィードバックのデータフォーマットが単一ＵＬフォーマットデュアルＵＬであるか否かを判定する。現在のＨＡＲＱフィードバックのデータフォーマットが単一ＵＬフォーマットデュアルＵＬである場合、ステップＳＴ２０１に戻る。一方、現在のＨＡＲＱフィードバックのデータフォーマットが単一ＵＬフォーマットデュアルＵＬでない場合、ステップＳＴ２０８に進む。
【００５６】
ステップＳＴ２０７において、切り替えトリガ判定部３０７は、上りリンク単一ＵＬフォーマットデュアルＵＬへの切り替えを決定して、ステップＳＴ２０１に戻る。
ステップＳＴ２０８において、切り替えトリガ判定部３０７は、上りリンクデュアルＵＬへの切り替えを決定して、ステップＳＴ２０１に戻る。
【００５７】
図９は、本発明の第１の実施形態に係る上りリンクＨＡＲＱフィードバックのデータフォーマットの切り替え処理の一例を示すシーケンス図である。
ステップＳＴ３０１において、移動局装置３は、ＨＡＲＱフィードバックのデータフォーマット（上りリンクＵＬの制御情報）の切り替えが可能か否かの切り替え可否問い合わせをマクロセル基地局装置１に送信する。
ステップＳＴ３０２において、マクロセル基地局装置１は、移動局装置３から受信したＨＡＲＱフィードバックのデータフォーマットの切り替えが可能か否かの切り替え可否問い合わせをスモールセル基地局装置２に送信する。
ステップＳＴ３０３において、スモールセル基地局装置２は、ＨＡＲＱフィードバックのデータフォーマットの切り替えが可能か否かの判定を行い、判定結果に応じてＨＡＲＱフィードバックのデータフォーマットの切り替えが可能か否かを表す切り替え可否回答をマクロセル基地局装置１に送信する。
【００５８】
ステップＳＴ３０４において、マクロセル基地局装置１は、スモールセル基地局装置２から受信したＨＡＲＱフィードバックのデータフォーマットの切り替えが可能か否かを表す切り替え可否回答を移動局装置３に送信する。
ステップＳＴ３０５において、移動局装置３は、ＨＡＲＱフィードバックのデータフォーマットの切り替えが可能か否かを表す切り替え可否回答に基づいて、ＨＡＲＱフィードバックのデータフォーマットの切り替えを指示する切り替え要求をマクロセル基地局装置１に送信する。
ステップＳＴ３０６において、マクロセル基地局装置１は、移動局装置３から受信したＨＡＲＱフィードバックのデータフォーマットの切り替えを指示する切り替え要求をスモールセル基地局装置２に送信する。
【００５９】
ステップＳＴ３０７において、スモールセル基地局装置２は、マクロセル基地局装置１から受信した切り替え要求に基づいて、ＨＡＲＱフィードバックのデータフォーマットの切り替えを実行し、当該切り替えが完了したことを表す切り替え完了応答をマクロセル基地局装置１に送信する。
ステップＳＴ３０８において、マクロセル基地局装置１は、スモールセル基地局装置２から受信した切り替え完了応答を移動局装置３に送信し、ＨＡＲＱフィードバックのデータフォーマットの切り替え処理を完了する。
【００６０】
図１０は、本発明の第１の実施形態に係る移動局装置３における処理の一例を示すフローチャートである。
ステップＳＴ４０１において、切り替え問い合わせ部３０４１、３０５１は、ＨＡＲＱフィードバックのデータフォーマット（上りリンクＵＬの制御情報）の切り替えが可能か否かの切り替え可否問い合わせをマクロセル基地局装置１に送信する。
ステップＳＴ４０２において、受領部３０４２、３０５２は、切り替え可否問い合わせに対する回答として、切り替え可否回答をマクロセル基地局装置１から受信する。
ステップＳＴ４０３において、切り替えトリガ判定部３０７は、切り替え可否回答に基づいて、ＨＡＲＱフィードバックのデータフォーマットの切り替えが可能か否かを判定する。ＨＡＲＱフィードバックのデータフォーマットの切り替えが可能である場合、ステップＳＴ４０４に進む。一方、ＨＡＲＱフィードバックのデータフォーマットの切り替えが可能でない場合、ＨＡＲＱフィードバックのデータフォーマットの切り替えの処理を終了する。
【００６１】
ステップＳＴ４０４において、要求部３０４３、３０５３は、ＨＡＲＱフィードバックのデータフォーマットの切り替えを指示する切り替え要求をマクロセル基地局装置１に送信する。
ステップＳＴ４０５において、要求部３０４３、３０５３は、スモールセル基地局装置２のＨＡＲＱフィードバックのデータフォーマットの切り替え処理が完了したことを表す切り替え完了応答をマクロセル基地局装置１から受信する。
ステップＳＴ４０６において、要求部３０４３、３０５３は、受信した切り替え完了応答に基づいて、自装置のＨＡＲＱフィードバックのデータフォーマットの切り替えを実施し、切り替え処理を終了する。
【００６２】
図１１は、本発明の第１の実施形態に係るマクロセル基地局装置１における処理の一例を示すフローチャートである。
ステップＳＴ５０１において、問い合わせ受領部１０２は、ＨＡＲＱフィードバックのデータフォーマット（上りリンクＵＬの制御情報）の切り替えが可能か否かの切り替え可否問い合わせを移動局装置３から受信する。
ステップＳＴ５０２において、確認部１０３は、自装置のＨＡＲＱフィードバックのデータフォーマットの切り替えが可能か否かを判定する。自装置のＨＡＲＱフィードバックのデータフォーマットの切り替えが可能である場合、ステップＳＴ５０４に進む。一方、自装置のＨＡＲＱフィードバックのデータフォーマットの切り替えが不可能である場合、ステップＳＴ５０３に進む。
【００６３】
ステップＳＴ５０３において、確認部１０３は、自装置のＨＡＲＱフィードバックのデータフォーマットの切り替えが不可能であることを表すＨＡＲＱフィードバックのデータフォーマット切り替え不可能通知を切り替え可否回答として生成し、生成した切り替え可否回答を移動局装置３に送信する。
ステップＳＴ５０４において、確認部１０３は、移動局装置３から受信したＨＡＲＱフィードバックのデータフォーマットの切り替え可否問い合わせをスモールセル基地局装置２に送信する。
【００６４】
ステップＳＴ５０５において、回答受信部１０５は、切り替え可否回答をスモールセル基地局装置２から受信する。
ステップＳＴ５０６において、回答送信部１０６は、回答受信部１０５から入力された切り替え可否回答に基づいて、スモールセル基地局装置２のＨＡＲＱフィードバックのデータフォーマットの切り替えが可能か否かを判定する。スモールセル基地局装置２のＨＡＲＱフィードバックのデータフォーマットの切り替えが可能である場合、ステップＳＴ５０７に進む。一方、スモールセル基地局装置２のＨＡＲＱフィードバックのデータフォーマットの切り替えが不可能である場合、ステップＳＴ５０３に戻り、回答送信部１０６は、ＨＡＲＱフィードバックのデータフォーマットの切り替えが不可能であることを表す切り替え可否回答を生成し、生成した切り替え可否回答を移動局装置３に送信する。
【００６５】
ステップＳＴ５０７において、回答送信部１０６は、ＨＡＲＱフィードバックのデータフォーマットの切り替えが可能であることを表す切り替え可否回答を生成し、生成した切り替え可否回答を移動局装置３に送信する。
ステップＳＴ５０８において、要求受信部１０７は、ＨＡＲＱフィードバックのデータフォーマットの切り替えを指示する切り替え要求を移動局装置３から受信する。
ステップＳＴ５０９において、要求送信部１０８は、移動局装置３から受信したＨＡＲＱフィードバックのデータフォーマットの切り替えを指示する切り替え要求をスモールセル基地局装置２に送信する。
【００６６】
ステップＳＴ５１０において、応答受信部１０９は、スモールセル基地局装置２においてＨＡＲＱフィードバックのデータフォーマットの切り替えが完了したことを表す切り替え完了応答をスモールセル基地局装置２から受信する。
ステップＳＴ５１１において、切り替え実行部１１１は、自装置のＨＡＲＱフィードバックのデータフォーマットを、切り替え要求が指示するＨＡＲＱフィードバックのデータフォーマットに切り替える。切り替え実行部１１１は、スモールセル基地局装置２および自装置のＨＡＲＱフィードバックのデータフォーマットの切り替えが完了したことを表す切り替え完了応答を生成する。
ステップＳＴ５１２において、応答送信部１１０は、自装置およびスモールセル基地局装置２のＨＡＲＱフィードバックのデータフォーマットの切り替えが完了したことを表す切り替え完了応答を移動局装置３に送信し、ＨＡＲＱフィードバックのデータフォーマットの切り替え処理を終了する。
【００６７】
図１２は、本発明の第１の実施形態に係るスモールセル基地局装置２における処理の一例を示すフローチャートである。
ステップＳＴ６０１において、問い合わせ受領部２０２は、ＨＡＲＱフィードバックのデータフォーマット（上りリンクＵＬの制御情報）の切り替えが可能か否かの切り替え可否問い合わせをマクロセル基地局装置１から受信する。
ステップＳＴ６０２において、回答送信部２０３は、自装置のＨＡＲＱフィードバックのデータフォーマットの切り替えが可能か否かを判定する。自装置のＨＡＲＱフィードバックのデータフォーマットの切り替えが可能である場合、ステップＳＴ６０４に進む。一方、自装置のＨＡＲＱフィードバックのデータフォーマットの切り替えが不可能である場合、ステップＳＴ６０３に進む。
【００６８】
ステップＳＴ６０３において、回答送信部２０３は、自装置のＨＡＲＱフィードバックのデータフォーマットの切り替えが不可能であることを表すＨＡＲＱフィードバックのデータフォーマット切り替え不可能通知を切り替え可否回答として生成し、生成した切り替え可否回答をマクロセル基地局装置１に送信する。
ステップＳＴ６０４において、回答送信部２０３は、ＨＡＲＱフィードバックのデータフォーマットの切り替えが可能であることを表す切り替え可否回答を生成し、生成した切り替え可否回答をマクロセル基地局装置１に送信する。
ステップＳＴ６０５において、要求受信部２０４は、ＨＡＲＱフィードバックのデータフォーマットの切り替えを指示する切り替え要求をマクロセル基地局装置１から受信する。
【００６９】
ステップＳＴ６０６において、切り替え実行部２０５は、自装置のＨＡＲＱフィードバックのデータフォーマットを切り替え要求が指示するＨＡＲＱフィードバックのデータフォーマットに切り替える。
ステップＳＴ６０７において、通知部２０６は、自装置のＨＡＲＱフィードバックのデータフォーマットの切り替えが完了したことを表す切り替え完了応答を生成し、生成した切り替え完了応答をマクロセル基地局装置１に送信して、ＨＡＲＱフィードバックのデータフォーマットの切り替え処理を終了する。
【００７０】
このように、本実施形態によれば、第１の基地局装置（マクロセル基地局装置１）および第２の基地局装置（スモールセル基地局装置２）と通信を行う移動局装置３において、移動局装置３は、第１の基地局装置（マクロセル基地局装置１）および第２の基地局装置（スモールセル基地局装置２）と同時に接続し、第１の基地局装置（マクロセル基地局装置１）と所定の第１のサブフレームで通信を行い、第２の基地局装置（スモールセル基地局装置２）とは第１のサブフレームとは異なる所定の第２のサブフレームで通信を行う第１の制御情報（ＨＡＲＱフィードバックのデータフォーマットとしての単一ＵＬフォーマットデュアルＵＬ）を用いる。
【００７１】
これにより、移動局装置３は、第１の制御情報（単一ＵＬフォーマットデュアルＵＬ）を用いることにより、ＲＦ  ｒｅｔｕｎｅ制御、例えば、移動局装置３の通信周波数をマクロセル基地局装置１またはスモールセル基地局装置２の周波数に切り替える（合わせる）制御を不要とすることができ、その結果、消費電力を削減することができる。
【００７２】
また、移動局装置３は、第１の制御情報（ＨＡＲＱフィードバックのデータフォーマットとしての単一ＵＬフォーマットデュアルＵＬ）と、第１の制御情報とは異なり第１の基地局装置（マクロセル基地局装置１）および第２の基地局装置（スモールセル基地局装置２）と同時に接続し、第１の基地局装置（マクロセル基地局装置１）および第２の基地局装置（スモールセル基地局装置２）と同時に通信を行う第２の制御情報（ＨＡＲＱフィードバックのデータフォーマットとしてのデュアルＵＬ）との切り替えが可能か否かの問い合わせを第１の基地局装置（マクロセル基地局装置１）に送信する切り替え問い合わせ部３０４１、３０５１と、第１の基地局装置（マクロセル基地局装置１）から問い合わせの回答として切り替え可否回答を受領する受領部３０４２、３０５２と、受領部３０４２、３０５２により受領された切り替え可否回答に基づいて、第１の制御情報（単一ＵＬフォーマットデュアルＵＬ）と第２の制御情報（デュアルＵＬ）との切り替え要求を第１の基地局装置（マクロセル基地局装置１）に送信する要求部３０４３、３０５３と、を備える。
【００７３】
これにより、移動局装置３は、移動局装置の電池状態やセル（基地局装置）までの距離、ＨＡＲＱの再送頻度などの通信状態に応じて、適切に複数の制御情報、例えば、ＨＡＲＱフィードバックのデータフォーマットをデュアルＵＬや単一ＵＬフォーマットデュアルＵＬに切り替えることができる。また、移動局装置３は、単一ＵＬフォーマットデュアルＵＬを用いることにより、ＲＦ  ｒｅｔｕｎｅ制御、例えば、移動局装置３の通信周波数をマクロセル基地局装置１またはスモールセル基地局装置２の周波数に切り替える（合わせる）制御を不要とすることができ、その結果、消費電力を削減することができる。
【００７４】
なお、上述した各実施形態におけるマクロセル基地局装置１、スモールセル基地局装置２、移動局装置３の一部、または全部をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、マクロセル基地局装置１、スモールセル基地局装置２、移動局装置３に内蔵されたコンピュータシステムであって、ＯＳや周辺機器等のハードウェアを含むものとする。
【００７５】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。
また上記プログラムは、前述した機能の一部を実現するためのものであっても良く、さらに前述した機能をコンピュータシステムにすでに記録されているプログラムとの組み合わせで実現できるものであっても良い。
【００７６】
また、上述した各実施形態におけるマクロセル基地局装置１、スモールセル基地局装置２、移動局装置３の一部、または全部を、ＬＳＩ（Ｌａｒｇｅ  Ｓｃａｌｅ  Ｉｎｔｅｇｒａｔｉｏｎ）等の集積回路として実現しても良い。マクロセル基地局装置１、スモールセル基地局装置２、移動局装置３の各機能ブロックは個別にプロセッサ化してもよいし、一部、または全部を集積してプロセッサ化しても良い。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いても良い。
【００７７】
以上、図面を参照してこの発明の各実施形態について詳しく説明してきたが、具体的な構成は上述のものに限られることはなく、この発明の要旨を逸脱しない範囲内において様々な設計変更等をすることが可能である。
【００７８】
（付記１）第１の基地局装置および第２の基地局装置と通信を行う移動局装置において、前記第１の基地局装置および前記第２の基地局装置と同時に接続し、前記第１の基地局装置と所定の第１のサブフレームで通信を行い、前記第２の基地局装置とは前記第１のサブフレームとは異なる所定の第２のサブフレームで通信を行う第１の制御情報を用いること、を特徴とする移動局装置である。
【００７９】
（付記２）前記第１の制御情報と、前記第１の制御情報とは異なり前記第１の基地局装置および前記第２の基地局装置と同時に接続し、前記第１の基地局装置および前記第２の基地局装置と同時に通信を行う第２の制御情報との切り替えが可能か否かの問い合わせを前記第１の基地局装置に送信する切り替え問い合わせ部と、前記第１の基地局装置から前記問い合わせの回答として切り替え可否回答を受領する受領部と、前記受領部により受領された前記切り替え可否回答に基づいて、前記第１の制御情報と前記第２の制御情報との切り替え要求を前記第１の基地局装置に送信する要求部と、を備えることを特徴とする付記１に記載の移動局装置である。
【００８０】
（付記３）前記切り替え問い合わせ部は、前記移動局装置の電力量または前記移動局装置におけるデータの再送処理頻度に基づいて、前記第１の制御情報と前記第２の制御情報との切り替えが可能か否かの問い合わせを前記第１の基地局装置に送信することを特徴とする付記２に記載の移動局装置である。
【００８１】
（付記４）移動局装置と接続されて所定のサブフレームにおいて通信を行う第１の制御情報と、前記移動局装置と接続されて各サブフレームにおいて通信を行う第２の制御情報とを用いる基地局装置であって、前記第１の制御情報と前記第２の制御情報との切り替えが可能か否かの問い合わせを受領する問い合わせ受領部と、前記問い合わせ受領部が受領した前記問い合わせに基づいて、他の基地局装置に前記第１の制御情報と前記第２の制御情報との切り替えが可能か否かの問い合わせを行う確認部と、前記確認部による問い合わせの応答として前記他の基地局装置から切り替え可否回答を受信する回答受信部と、前記回答受信部により受信された切り替え可否回答に基づいて、移動局装置に切り替え可否回答を送信する回答送信部と、を備えることを特徴とする基地局装置である。
【００８２】
（付記５）移動局装置と接続されて所定のサブフレームにおいて通信を行う第１の制御情報と、前記移動局装置と接続されて各サブフレームにおいて通信を行う第２の制御情報とを用いる基地局装置であって、前記第１の制御情報と第前記２の制御情報との切り替えの要求を受信する要求受信部と、前記要求受信部が受信した前記要求に基づいて、前記第１の制御情報と前記第２の制御情報とを切り替える切り替え実行部と、前記切り替え実行部による前記第１の制御情報と前記第２の制御情報との切り替えが完了すると、当該完了したことを他の基地局装置に通知する通知部と、を備えることを特徴とする基地局装置である。
【００８３】
（付記６）第１の基地局装置、第２の基地局装置、および前記第１の基地局装置と前記第２の基地局装置と通信を行う移動局装置を備える通信システムにおいて、前記移動局装置は、前記第１の基地局装置および前記第２の基地局装置と同時に接続し、前記第１の基地局装置と所定の第１のサブフレームで通信を行い、前記第２の基地局装置とは前記第１のサブフレームとは異なる所定の第２のサブフレームで通信を行う第１の制御情報と、前記第１の制御情報とは異なり前記第１の基地局装置および前記第２の基地局装置と同時に接続し、前記第１の基地局装置および前記第２の基地局装置と同時に通信を行う第２の制御情報との切り替えが可能か否かの問い合わせを前記第１の基地局装置に送信する切り替え問い合わせ部と、前記第１の基地局装置から前記問い合わせの回答としての切り替え可否回答を受領する受領部と、前記受領部により受領された前記切り替え可否回答に基づいて、前記第１の制御情報と第２の制御情報との切り替え要求を前記第１の基地局装置に送信する要求部と、を備え、前記第１の基地局装置は、前記移動局装置から受信した前記第１の制御情報と第２の制御情報との切り替えが可能か否かの問い合わせに基づいて、前記第２の基地局装置に前記第１の制御情報と前記第２の制御情報との切り替えが可能か否かの問い合わせを行う確認部と、前記確認部による問い合わせの応答として第２の基地局装置から切り替え可否回答を受信する受信部と、前記受信部により受信された切り替え可否回答に基づいて、前記移動局装置に切り替え可否回答を送信する回答送信部と、を備え、前記第２の基地局装置は、前記移動局装置から受信した前記切り替え要求に基づいて、前記第１の制御情報と前記第２の制御情報との切り替えを実行する切り替え実行部と、前記切り替え実行部による前記第１の制御情報と前記第２の制御情報との切り替えが完了すると、当該完了したことを前記第１の基地局装置に通知する通知部と、を備えることを特徴とする通信システムである。
【００８４】
（付記７）第１の基地局装置、第２の基地局装置、および前記第１の基地局装置と前記第２の基地局装置と通信を行う移動局装置を備える通信システムにおける通信方法において、前記移動局装置が、前記第１の基地局装置および前記第２の基地局装置と同時に接続し、前記第１の基地局装置と所定の第１のサブフレームで通信を行い、前記第２の基地局装置とは前記第１のサブフレームとは異なる所定の第２のサブフレームで通信を行う第１の制御情報と、前記第１の制御情報とは異なり前記第１の基地局装置および前記第２の基地局装置と同時に接続し、前記第１の基地局装置および前記第２の基地局装置と同時に通信を行う第２の制御情報との切り替えが可能か否かの問い合わせを前記第１の基地局装置に送信する切り替え問い合わせ過程と、前記第１の基地局装置から前記問い合わせの回答としての切り替え可否回答を受領する受領過程と、前記受領過程により受領された前記切り替え可否回答に基づいて、前記第１の制御情報と第２の制御情報との切り替え要求を前記第１の基地局装置に送信する要求過程と、を有し、前記第１の基地局装置が、前記移動局装置から受信した前記第１の制御情報と第２の制御情報との切り替えが可能か否かの問い合わせに基づいて、前記第２の基地局装置に前記第１の制御情報と前記第２の制御情報との切り替えが可能か否かの問い合わせを行う確認過程と、前記確認過程による問い合わせの応答として第２の基地局装置から切り替え可否回答を受信する受信過程と、前記受信過程により受信された切り替え可否回答に基づいて、前記移動局装置に切り替え可否回答を送信する回答送信過程と、を有し、前記第２の基地局装置が、前記移動局装置から受信した前記切り替え要求に基づいて、前記第１の制御情報と前記第２の制御情報との切り替えを実行する切り替え実行過程と、前記切り替え実行過程による前記第１の制御情報と前記第２の制御情報との切り替えが完了すると、当該完了したことを前記第１の基地局装置に通知する通知過程と、を有することを特徴とする通信方法である。
【符号の説明】
【００８５】
Ｓ・・・通信システム、１・・・マクロセル基地局装置、１０１・・・通信部、１０２・・・問い合わせ受領部、１０３・・・確認部、１０４・・・ネットワーク通信部、１０５・・・回答受信部、１０６・・・回答送信部、１０７・・・要求受信部、１０８・・・要求送信部、１０９・・・応答受信部、１１０・・・応答送信部、１１１・・・切り替え実行部、２・・・スモールセル基地局装置、２０１・・・ネットワーク通信部、２０２・・・問い合わせ受領部、２０３・・・回答送信部、２０４・・・要求受信部、２０５・・・切り替え実行部、２０６・・・通知部、３・・・移動局装置、３０１、３０１−１、３０１−２、３０１−Ｎ・・・受信アンテナ、３０２、３０２−１、３０２−２、３０２−Ｎ・・・受信部、３０３・・・制御部、３０４・・・単一ＨＡＲＱフィードバック処理部、３０４１、３０５１・・・切り替え問い合わせ部、３０４２、３０５２・・・受領部、３０４３、３０５３・・・要求部、３０５・・・複数ＨＡＲＱフィードバック処理部、３０６・・・再送頻度判定部、３０７・・・切り替えトリガ判定部、３０８、３０８−１、３０８−２、３０８−Ｎ・・・送信部、３０９、３０９−１、３０９−２、３０９−Ｎ・・・送信アンテナ、３１０・・・ユーザ設定記憶部、３１１・・・電池状態検出部、３１２・・・電池状態判定部、３１３・・・閾値記憶部、ＣＳ、ＣＭ・・・セル
【図１】
2015154106.tif 000003
【図２】
2015154106.tif 000004
【図３】
2015154106.tif 000005
【図４】
2015154106.tif 000006
【図５】
2015154106.tif 000007
【図６】
2015154106.tif 000008
【図７】
2015154106.tif 000009
【図８】
2015154106.tif 000010
【図９】
2015154106.tif 000011
【図１０】
2015154106.tif 000012
【図１１】
2015154106.tif 000013
【図１２】
2015154106.tif 000014